【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
ネットワーク（１００、２００）の中の複数のカメラ（１０２ａ‐ｅ）のうちの１つのための交換用カメラ（２０２ｅ）の構成のための、ネットワーク（１００、２００）内の装置（１０６）によって実施される方法であって、
新しいカメラ（２０２ｅ）がネットワーク（１００、２００）に接続したことを検出するステップ（Ｓ０２）、
前記新しいカメラ（２０２ｅ）の特性データを受信するステップ（Ｓ０４）、
前記ネットワーク（１００、２００）から、前記複数のカメラ（１０２ａ‐ｅ）のうちの１以上の候補カメラ（１０２ｄ‐ｅ）の特性データにアクセスするステップ（Ｓ０６）、
前記新しいカメラ（２０２ｅ）の前記特性データが前記１以上の候補カメラ（１０２ｄ‐ｅ）のうちの特定のカメラ（１０２ｅ）の前記特性データと適合する場合、前記新しいカメラ（２０２ｅ）が前記特定のカメラ（１０２ｅ）のための交換用であるという判定をするステップ（Ｓ０８）、
前記新しいカメラ（２０２ｅ）によって交換される前記特定のカメラ（１０２ｅ）に対応する、前記カメラの作動を制御するための設定である構成設定に、前記ネットワーク（１００、２００）からアクセスするステップ（Ｓ１０）、及び
前記特定のカメラ（１０２ｅ）に対応する前記構成設定に基づいて、前記新しいカメラ（２０２ｅ）を構成するステップ（Ｓ１２）を含み、
カメラ（２０２ｅ、１０２ｄ‐ｅ）の前記特性データは、前記カメラの地理的な位置、カメラモデル、カメラタイプ、及びカメラ能力に関するデータのリストからの少なくとも１つを含む、方法。
【請求項２】
前記新しいカメラ（２０２ｅ）が前記ネットワーク（１００、２００）の中の前記複数のカメラ（１０２ａ‐ｅ）のうちの特定のカメラ（１０２ｅ）のための交換用であるという判定をする前記ステップは、
前記新しいカメラ（２０２ｅ）の前記特性データが前記１以上の候補カメラ（１０２ｄ‐ｅ）のうちの特定のカメラ（１０２ｅ）の特性データと適合するか否かを判定するために、前記新しいカメラ（２０２ｅ）の前記特性データを前記１以上の候補カメラ（１０２ｄ‐ｅ）の前記特性データと比較するステップを含む、請求項１に記載の方法。
【請求項３】
前記新しいカメラ（２０２ｅ）の前記特性データを前記１以上の候補カメラ（１０２ｄ‐ｅ）の前記特性データと比較する前記ステップは、前記特性データによって表される特性に重み付けを適用することを含む、請求項２に記載の方法。
【請求項４】
前記１以上の候補カメラ（１０２ｄ‐ｅ）は、現在ネットワークからオフラインであるカメラを含む、請求項１から３のいずれか一項に記載の方法。
【請求項５】
前記新しいカメラ（２０２ｅ）の前記特性データと前記候補カメラ（１０２ａ‐ｅ）の前記特性データとの比較に基づいて、前記１以上の候補カメラ（１０２ｄ‐ｅ）のうちの各々に対してスコアを割り当てるステップを更に含み、前記スコアは前記新しいカメラ（２０２ｅ）が前記候補カメラ（１０２ｄ‐ｅ）のための交換用である可能性を反映し、かつ前記スコアは前記新しいカメラ（２０２ｅ）の前記特性データが前記１以上の候補カメラ（１０２ｄ‐ｅ）のうちの特定のカメラ（１０２ｅ）の前記特性データと適合するか否かを判定するために使用される、請求項１から４のいずれか一項に記載の方法。
【請求項６】
前記特定のカメラ（１０２ｅ）に割り当てられた前記スコアが第１の閾値よりも大きく、かつ前記特定のカメラ（１０２ｅ）に割り当てられた前記スコアと任意の他の候補カメラ（１０２ｄ）の前記スコアとの差異が第２の閾値よりも大きい場合、前記新しいカメラ（２０２ｅ）の前記特性データが前記１以上の候補カメラ（１０２ｄ‐ｅ）のうちの前記特定のカメラ（１０２ｅ）の前記特性データに適合すると判定される、請求項５に記載の方法。
【請求項７】
前記新しいカメラ（２０２ｅ）を構成する前記ステップは、前記特定のカメラ（１０２ｅ）に対応する前記構成設定を前記新しいカメラ（２０２ｅ）に移すことを含む、請求項１から６のいずれか一項に記載の方法。
【請求項８】
前記新しいカメラ（２０２ｅ）を構成する前記ステップの前に、前記新しいカメラ（２０２ｅ）の前記特性データ及び前記特定のカメラ（１０２ｅ）の前記特性データに基づいて、前記特定のカメラ（１０２ｅ）に対応する前記構成設定を調整することを更に含む、請求項１から７のいずれか一項に記載の方法。
【請求項９】
前記特定のカメラ（１０２ｅ）に対応する前記構成設定に基づいて前記新しいカメラ（２０２ｅ）を構成する前記ステップの前に、前記新しいカメラ（２０２ｅ）が前記特定のカメラ（１０２ｅ）のための交換用であることを確定するユーザ入力を受信するステップを更に含む、請求項１から８のいずれか一項に記載の方法。
【請求項１０】
請求項１から９のいずれか一項に記載の方法を実施するための指示命令を有する、コンピュータ可読媒体を備える、コンピュータプログラム製品。
【請求項１１】
ネットワーク（１００、２００）の中の複数のカメラ（１０２ａ‐ｅ）のうちの１つのための交換用カメラ（２０２ｅ）の構成のための装置（１０６）であって、
新しいカメラ（２０２ｅ）がネットワーク（１００、２００）に接続したことを検出するように構成されたカメラ検出構成要素（３０２）、
前記新しいカメラ（２０２ｅ）の特性データを受信するように構成された受信構成要素（３０４）、
前記ネットワーク（１００、２００）から、前記複数のカメラ（１０２ａ‐ｅ）のうちの１以上の候補カメラ（１０２ｄ‐ｅ）の特性データにアクセスするように構成されたデータアクセス構成要素（３０６）、
前記新しいカメラ（２０２ｅ）の前記特性データが前記１以上の候補カメラ（１０２ｄ‐ｅ）のうちの特定のカメラ（１０２ｅ）の前記特性データと適合する場合、前記新しいカメラ（２０２ｅ）が前記特定のカメラ（１０２ｅ）のための交換用であるという判定をするように構成されたカメラ適合構成要素（３０８）、
前記新しいカメラ（２０２ｅ）によって交換される前記特定のカメラ（１０２ｅ）に対応する、前記カメラの作動を制御するための設定である構成設定に、前記ネットワーク（１００、２００）からアクセスするように更に構成された前記データアクセス構成要素（３０６）、及び
前記特定のカメラ（１０２ｅ）に対応する前記構成設定に基づいて、前記新しいカメラ（２０２ｅ）を構成するように配置された構成用構成要素（３１０）を含み、
前記特性データは、前記カメラの地理的な位置、カメラモデル、カメラタイプ、及びカメラ能力に関するデータのリストからの少なくとも１つを含む、装置。
【請求項１２】
前記カメラ検出構成要素（３０２）、前記受信構成要素（３０４）、前記データアクセス構成要素（３０６）、前記カメラ適合構成要素（３０８）、及び構成用構成要素（３１０）のうちの少なくとも１つは、前記ネットワーク（１００、２００）の中の前記複数のカメラ（１０２ａ‐ｅ）にわたって分散される、請求項１１に記載の装置（１０６）。
【請求項１３】
カメラネットワーク（１００、２００）であって、
相互接続された複数のカメラ（１０２ａ‐ｅ）、
前記複数のカメラ（１０２ａ‐ｅ）に接続され、前記複数のカメラ（１０２ａ‐ｅ）の特性データ及び構成設定のバックアップコピーを記憶するように構成されたデータストレージ（１０４）、及び
前記カメラネットワーク（１００、２００）の中の前記複数のカメラ（１０２ａ‐ｅ）のうちの１つのための交換用カメラ（２０２ｅ）の構成のための請求項１１又は１２に記載の装置（１０６）を備える、カメラネットワーク。